(57)【要約】【課題】振動源と被取付部材との間に緩衝部材を介在させて、隣接して取り付けられる他部材への振動を抑制し、かつ取付スペースを小さくする。【解決手段】スピーカ本体１００はフランジ部１０８に設けた第１のインシュレータ１１２を介して、支持部材１０２に非接触で固定されると共に、支持部材１０２は、第２のインシュレータ１２２を介して、本体枠１０Ａに非接触で固定されることで、スピーカ本体１００の振動板１０４の振動の伝達系が、スピーカ本体１００→第１のインシュレータ１１２→支持部材１０２→第２のインシュレータ１２２→本体枠１０Ａの順となり、その間において、特に、第１のインシュレータ１１２及び第２のインシュレータ１２２によって振動が減衰され、本体枠１０Ａへの振動電圧を抑制することができる。【選択図】図５
2015080507.tif 000002
【特許請求の範囲】
【請求項１】
電気信号に基づき振動板を振動させることで、遊技の進行に応じた音楽、効果音、音声を含む音を出力するスピーカと、
前記スピーカを第１の固定部材により支持するための支持部材と、
前記スピーカ又は前記支持部材の一方に対して、前記第１の固定部材が非接触状態となるように設けられた第１の緩衝部材と、
前記スピーカを支持した状態の前記支持部材を第２の固定部材により固定するための固定ベースと、
前記支持部材又は前記固定ベースの一方に対して、前記第２の固定部材が非接触となるように設けられた第２の緩衝部材と、
を有する遊技機のスピーカユニット。
【請求項２】
前記第１の固定部材が螺子であり、
前記第１の緩衝部材が、前記螺子が貫通する貫通孔を備えた筒状に形成されており、
前記第１の緩衝部材の外周面が、矩形状の前記スピーカの取付フランジに設けられた鍵穴形状の切欠部に嵌め込まれた状態で、
前記貫通孔を貫通する螺子が、前記支持部材に螺合されていることを特徴とする請求項１記載の遊技機のスピーカユニット。
【請求項３】
前記螺子には、当該螺子の螺合によって、前記第１の緩衝部材における貫通孔開口端面の全面を押圧する座金が付加されていることを特徴とする請求項２記載の遊技機のスピーカユニット。
【請求項４】
前記第２の固定部材が螺子であり、
前記第２の緩衝部材が、前記螺子を貫通する貫通孔を備えた筒状に形成されており、
前記第２の緩衝部材の外周面が、矩形状の前記支持部材に設けられた鍵穴形状の切欠部に嵌め込まれた状態で、
前記貫通孔を貫通する螺子が、前記固定ベースに螺合されていることを特徴とする請求項１〜請求項３記載の遊技機のスピーカユニット。
【請求項５】
前記螺子には、当該螺子の螺合によって、前記第２の緩衝部材における貫通孔開口端面の全面を押圧する座金が付加されていることを特徴とする請求項４記載の遊技機のスピーカユニット。
【請求項６】
前記第１の緩衝部材及び第２の緩衝部材を設けることによって、前記スピーカと前記支持部材とが対峙する隙間には、音漏れ防止用のシール部材が設けられていることを特徴とする請求項１〜請求項５の何れか１項記載の遊技機のスピーカユニット。
【請求項７】
前記支持部材が、前記スピーカの音の出力面を保護する保護カバーであり、当該保護カバーには、遊技球を整流して遊技盤面へ発射する発射ユニットの一部が対峙されることを特徴とする請求項１〜請求項６の何れか１項記載の遊技機のスピーカユニット。
【請求項８】
前記保護カバーには、前記スピーカから出力させる通音孔が設けられ、前記発射ユニットと対峙する領域は、当該通音孔が遮蔽されていることを特徴とする請求項７記載の遊技機のスピーカユニット。
【発明の詳細な説明】
【技術分野】
【０００１】
本発明は、遊技機に設けられ、遊技の進行に応じた音楽、効果音、音声を含む音を出力するスピーカからの振動の伝達系を確立した遊技機のスピーカユニットに関するものである。
【背景技術】
【０００２】
遊技機、例えば、パチンコ機は、始動入賞口（特別図柄始動入賞口）に入賞したパチンコ球を検出するタイミングで当落抽選用の乱数を取り込むことで特別図柄抽選(当落抽選)がなされ、この特別図柄抽選の結果、当たりとなると、大入賞口が所定期間、所定回数開放され（１回の開閉を１ラウンドとし、一般に合計で２〜１６ラウンド程度の間で選択されて継続する。）、遊技球の入賞率を高める、遊技者に有利な状態とする機能（大役処理）を持つ。
【０００３】
この種のパチンコ機では、前記特別図柄抽選の結果を、演出を交えて報知する場合がある。演出は、大きく分けて、ＬＣＤ等の表示装置や可動部材による動作を用いた視覚を通じた演出と、スピーカから音（音楽、効果音、音声等）を出力する聴覚を通じた演出とに分類することができる。
【０００４】
スピーカは、遊技機、パチンコ機であれば、遊技球の発射ユニット（整流装置、発射装置を含む）、払出装置（制御系、機械系を含む）、流路等と共に、遊技筐体の構成部品の１つとして設けられている。
【０００５】
ここで、スピーカはその出力の原理として、音信号に基づいてコーンを振動させることで音を発する（放音）ものである。従って、コーンの振動が、スピーカが取り付けられている遊技筐体へ伝搬することが予測される。
【０００６】
ここで、スピーカは音量、音質の増大を目的として、その口径が増大傾向にあり、取付位置が制限される場合がある。このため、特にパチンコ機において、スピーカと発射ユニットとが隣接すると、スピーカからの振動が、発射ユニットの発射装置で遊技球を発射するときのインパクトに影響を与える可能性がある。
【０００７】
従って、スピーカに隣接して取り付けられる部材（例えば、発射ユニット等）の整流精度及び発射精度維持を目的として、スピーカは、遊技筐体への取り付けに際して、当該スピーカからの振動が、遊技筐体へ伝搬しずらい構成とすることが要求される。
【０００８】
この場合、スピーカと遊技筐体との間に無制限の量、厚さで緩衝部材を介在させればよいが、スピーカの取付スペースにも制限がある。
【０００９】
特許文献１には、放音時の振動が他の部材に伝わるのを防止するため、制振構造として、重量的負荷を与えねじ止めしたスピーカ構造が開示されている。
【００１０】
また、特許文献２には、スピーカを取り付ける際の共振止めとして、信頼性の高い緩衝材を用いたスピーカの取付構造が開示されている。
【先行技術文献】
【特許文献】
【００１１】
【特許文献１】特開２００４−１２００６３号公報
【特許文献２】特開平６−１５３２９３号公報
【発明の概要】
【発明が解決しようとする課題】
【００１２】
しかしながら、引用文献１では、磁気回路部の後端面に、非磁性体の「おもり」を固定して、スピーカフレームの振動を制振することが記載されており、スピーカ自体の振動は抑制できるが、振動源であるコーンから被固定部材へ振動が伝わることには変わりはなく、被固定部材側に共振する部材があれば振動し得ると考えられる。
【００１３】
また、引用文献２では、緩衝材の材料選択が主体であり、スピーカのフランジ面と被取付面との間に緩衝材を介在させるという自明な取付構造である。言い換えれば、引用文献２は、緩衝材の取付構造における最適化に言及されたものではなく、取付スペースとの関連についても記載がない。
【００１４】
本発明は上記事実を考慮し、振動源と被取付部材との間に緩衝部材を介在させて、隣接して取り付けられる他部材への振動を抑制し、かつ取付スペースを小さくすることができる遊技機のスピーカユニットを得ることが目的である。
【課題を解決するための手段】
【００１５】
本発明は、電気信号に基づき振動板を振動させることで、遊技の進行に応じた音楽、効果音、音声を含む音を出力するスピーカと、前記スピーカを第１の固定部材により支持するための支持部材と、前記スピーカ又は前記支持部材の一方に対して、前記第１の固定部材が非接触状態となるように設けられた第１の緩衝部材と、前記スピーカを支持した状態の前記支持部材を第２の固定部材により固定するための固定ベースと、前記支持部材又は前記固定ベースの一方に対して、前記第２の固定部材が非接触となるように設けられた第２の緩衝部材と、を有している。
【００１６】
本発明によれば、スピーカの振動板が発する振動の固定ベースへの伝達系は、スピーカ→第１の固定部材→支持部材→第２の固定部材→固定ベースの順となる。
【００１７】
このとき、スピーカと支持部材とを固定する第１の固定部材は、第１の緩衝部材により、スピーカと支持部材の一方に対して非接触となる。
【００１８】
また、支持部材と固定ベースとを固定する第２の接合部材は、第２の緩衝部材により、支持部材と固定ベーの一方に対して非接触となる。
【００１９】
従って、振動は、第１の緩衝部材と第２の緩衝部材とでそれぞれ減衰されて固定ベースに伝達されることになり、スピーカから直接固定ベースに伝わるときの振動に比べて、減衰量（減衰率）を軽減することができる。
【００２０】
本発明において、前記第１の固定部材が螺子であり、前記第１の緩衝部材が、前記螺子が貫通する貫通孔を備えた筒状に形成されており、前記第１の緩衝部材の外周面が、矩形状の前記スピーカの取付フランジに設けられた鍵穴形状の切欠部に嵌め込まれた状態で、前記貫通孔を貫通する螺子が、前記支持部材に螺合されていることを特徴としている。
【００２１】
第１の緩衝部材は、スピーカの取付フランジの例えば四隅に設けられた鍵穴形状の切欠部に嵌め込んでおく。この状態で、支持部材と位置合わせを行い、螺子を第１の緩衝部材の貫通孔を貫通させて、支持部材に螺合する。
【００２２】
これにより、螺子は、直接スピーカに接触することがないため、スピーカの振動は、第１の緩衝部材で減衰して支持部材に伝達される。
【００２３】
また、第１の緩衝部材は、螺子を貫通させたままでも切欠部に嵌め込むことができるため、組み付け作業性を向上することができる。
【００２４】
本発明において、前記螺子には、当該螺子の螺合によって、前記第１の緩衝部材における貫通孔開口端面の全面を押圧する座金が付加されていることを特徴としている。
【００２５】
螺子の螺合により、第１の緩衝部材が圧縮されたときの反力を均等化することができる。
【００２６】
本発明において、前記第２の固定部材が螺子であり、前記第２の緩衝部材が、前記螺子を貫通する貫通孔を備えた筒状に形成されており、前記第２の緩衝部材の外周面が、矩形状の前記支持部材に設けられた鍵穴形状の切欠部に嵌め込まれた状態で、前記貫通孔を貫通する螺子が、前記固定ベースに螺合されていることを特徴としている。
【００２７】
第２の緩衝部材は、支持部材の例えば四隅に設けられた鍵穴形状の切欠部に嵌め込んでおく。この状態で、固定ベースと位置合わせを行い、螺子を第２の緩衝部材の貫通孔を貫通させて、固定ベースに螺合する。
【００２８】
これにより、螺子は、直接支持部材に接触することがないため、スピーカから第１の緩衝部材を介して受けた支持部材の振動は、第２の緩衝部材でさらに減衰して固定ベースに伝達される。
【００２９】
また、第２の緩衝部材は、螺子を貫通させたままでも切欠部に嵌め込むことができるため、組み付け作業性を向上することができる。
【００３０】
本発明において、前記螺子には、当該螺子の螺合によって、前記第２の緩衝部材における貫通孔開口端面の全面を押圧する座金が付加されていることを特徴としている。
【００３１】
螺子の螺合により、第２の緩衝部材が圧縮されたときの反力を均等化することができる。
【００３２】
本発明おいて、前記第１の緩衝部材及び第２の緩衝部材を設けることによって、前記スピーカと前記支持部材とが対峙する隙間には、音漏れ防止用のシール部材が設けられていることを特徴としている。
【００３３】
前記第１の緩衝部材及び第２の緩衝部材を介在させることによる二次課題である音漏れを解消することができる。なお、シール部材は緩衝機能があることが好ましい。
【００３４】
本発明において、前記支持部材が、前記スピーカの音の出力面を保護する保護カバーであり、当該保護カバーには、遊技球を整流して遊技盤面へ発射する発射ユニットの一部が対峙されることを特徴としている。
【００３５】
発射ユニットは、一定時間毎に遊技球を遊技盤へ送り出すように発射する。例えば、発射ユニットは、整流装置と発射装置を備え、発射装置は、杵をソレノイドやモータ等の駆動源で往復運動させ、この往復運動軌跡上の所定位置に遊技球を１個ずつ位置決めして弾き飛ばす構造となっている（弾球構造）。
【００３６】
この発射ユニットにスピーカからの振動が伝わると、杵と遊技球との接触点がずれて、発射方向や発射強度が変化する可能性がある。
【００３７】
そこで、本発明では、スピーカからの振動を、第１の緩衝部材と第２の緩衝部材とでそれぞれ減衰して固定ベースに伝達している。これにより、発射ユニット（主として発射装置）への振動伝達を抑制することができ、安定した弾球処理が可能となる。
【００３８】
本発明において、前記保護カバーには、前記スピーカから出力させる通音孔が設けられ、前記発射ユニットと対峙する領域は、当該通音孔が遮蔽されていることを特徴としている。
【００３９】
発射ユニットを確実に支持することができ、音による直接的な振動伝達を回避することができる。
【発明の効果】
【００４０】
以上説明した如く本発明では、振動源と被取付部材との間に緩衝部材を介在させて、隣接して取り付けられる他部材への振動を抑制し、かつ取付スペースを小さくすることができるという優れた効果を有する。
【図面の簡単な説明】
【００４１】
【図１】本実施の形態に係る遊技機の斜視図である。
【図２】本実施の形態に係る遊技機において、一体扉ユニットを開放したときの斜視図である。
【図３】本実施の形態に係る低音用のスピーカの斜視図（表面、裏面）である。
【図４】本実施の形態に係る低音用のスピーカの分解斜視図である。
【図５】本実施の形態に係る低音用のスピーカの本体枠への取付状態を示す側面断面図である。
【発明を実施するための形態】
【００４２】
（パチンコ機１０の全体構成）
図１に示される如く、パチンコ機１０は、矩形状の外枠１１Ａ及び内枠１１Ｂを備えた本体枠１０Ａと、一体扉ユニット１０Ｂとを備え、本体枠１０Ａ（外枠１１Ａ、内枠１１Ｂ）、並びに一体扉ユニット１０Ｂは、それぞれヒンジ１０Ｃを介して取り付けられている。このため、内枠１１Ｂは外枠１１Ａに対して、並びに、一体扉ユニット１０Ｂは内枠１１Ｂに対して、それぞれヒンジ１０Ｃの軸部を中心に回転可能とされている。図２は、ヒンジ１０Ｃを中心に一体扉ユニット１０Ｂを回転させて、開放したときの状態である。
【００４３】
パチンコ機１０の一体扉ユニット１０Ｂの前面下部には、化粧パネルとなる下飾り１２が取り付けられている。
【００４４】
また、パチンコ機１０の下飾り１２の上部には、ガラス板１４を装着したガラス枠１６が配置されており、ガラス枠１６は左側端部が軸支されて開閉可能に取り付けられている。このガラス枠１６の奥側には、着脱交換可能な遊技盤１８（詳細は省略）がセットされており、遊技盤１８は、ガラス枠１６で閉塞された状態でガラス板１４に対向するようになっている。
【００４５】
ガラス枠１６の上部角部には、スピーカ６０Ｌ、６０Ｒが内蔵され、また、図２に示される如く、ガラス枠１６の下部角部には、低音用のスピーカ６０Ｂが内蔵され、照明と同時に、音声を出力する。
【００４６】
また、前記一体扉ユニット１０Ｂには、本体枠１０Ａに対して閉止状態のとき、前記スピーカ６０Ｂと対向する位置に開口部６１（図２参照）が設けられ、遊技者への音の伝達管としての役目を有している。以下、スピーカ６０Ｌ、６０Ｒ、６０Ｂを総称する場合、スピーカ６０という。
【００４７】
また、ガラス枠１６における左右の側部、並びに上部には、電飾装置５１、５２が取り付けられている。電飾装置５１、５２は、図示しないベース部に対して、立体的に突出したレンズカバーが取り付けられた構造となっている。
【００４８】
電飾装置５１のベース部には、図示しない電気配線基板が設けられ、当該電気配線基板には、電気部品としての光源が取り付けられている。このため、レンズカバーに閉塞された空間内で光源が点灯すると、レンズカバーによる光の屈折等により、遊技者に対して光の演出が実行されるようになっている。
【００４９】
ガラス枠１６の下部には、受け皿ユニット２４が配置されている。受け皿ユニット２４の図１の右端部には、鍵穴２７が設けられている。
【００５０】
受け皿ユニット２４には、上皿部２８が設けられている。上皿部２８には、球抜きボタン３６Ａが設けられ、この球抜きボタン３６Ａを操作することで、上皿部２８に貯留された遊技球を下皿部２９へ案内することができるようになっている。また、上皿部２８の図１の右端部には、球貸ボタン４２と、返却ボタン４４が設けられている。
【００５１】
下皿部２９には、球抜きレバー３６Ｂが設けられ、この球抜きレバー３６Ｂを操作することで、下皿部２９に貯留された遊技球を外部（例えば、所謂「ドル箱」）へ排出することができるようになっている。
【００５２】
受け皿ユニット２４の図１の右側下部には打球の発射力（飛距離）を調整するためのグリップユニット２６（「（発射ハンドル２６」という場合がある）」が取り付けられている。なお、グリップユニット２６の近傍には、図２で示した開口部６１に対向して、装飾部材（ルーバー）６１Ａが設けられ、スピーカ６０Ｂからの音を通過させる通音孔とされている。
【００５３】
また、受け皿ユニット２４における上皿部２８には、遊技者が押圧操作又は回転操作可能な操作部５０が設けられている。この操作部５０は、遊技中において、操作有効期間中に操作することで、演出画像に対して介入することができるようになっており、それぞれの遊技仕様によって設定される。
【００５４】
図２に示される如く、本体枠１０Ａにおけるスピーカ６０Ｂの左側には、発射ユニットを構成する遊技球発射装置７０が設けられている。この遊技球発射装置７０には、一体扉ユニット１０Ｂが閉止されたとき、当該一体扉ユニット１０Ｂに設けられた遊技球整流装置７２と連結されるようになっている。この遊技球整流装置７２は、前記遊技球発射装置７０と共に発射ユニットを構成する。遊技球整流装置７２は、その一部が、遊技球発射装置７０との連結状態で、スピーカ６０Ｂの前面側に位置する構造となっている。
【００５５】
上皿部２８に乱雑に貯留された遊技球は、遊技球整流装置７２によって一列に整流された状態で、１個１個の遊技球が所定のインタバルで遊技球発射装置７０の発射位置に位置決めされ、発射される。この発射タイミングは、例えば、１分間に１００個程度とされている。
【００５６】
ここで、前記スピーカ６０の内、スピーカ６０Ｌ、６０Ｒは、所謂中高音を出力する。このスピーカ６０Ｌ、６０Ｒは、一体扉ユニット１０Ｂに取り付けられており、当該スピーカ６０Ｌ、６０Ｒの振動板の振動は、スピーカ６０Ｂ（低音）に比べて小さく、伝達系としては電飾装置５１、５２に分散される。
【００５７】
従って、本体枠１０Ａ側に伝わる振動は小さく、遊技盤１８上へ発射される遊技球、或いは遊技盤１８上で流動する遊技球への影響はほとんどない。
【００５８】
これに対して、前記スピーカ６０の内、スピーカ６０Ｂは、所謂低音を出力する。このスピーカ６０Ｂは、本体枠１０Ａに取り付けられており、しかも、当該スピーカ６０Ｂの振動板の振動は、スピーカ６０Ｌ、６０Ｒ（中高音）に比べて大きく、伝達系として本体枠１０Ａに直接伝わることになる。このため、例えば、前記遊技球発射装置７０による遊技球の発射位置がずれる場合がある。
【００５９】
そこで、本実施の形態では、スピーカ６０Ｂから発する音（低音）の出力に起因する振動板の振動を抑制するための本体枠１０Ａへの取付構造を確立した。
【００６０】
図３及び図４に示される如く、スピーカ６０Ｂは、スピーカ本体１００と、スピーカ本体１００が取り付けられて支持すると共に、スピーカ本体１００の振動板１０４を保護するための保護カバーとしての機能する支持部材１０２とを備える。支持部材１０２には、スピーカ６０Ｂから出力される音を通過させるためのスリット１０６が設けられている。
【００６１】
なお、前述した遊技球整流装置７２と対峙する領域はスリット１０６が存在せず、閉塞されており、空間を伝わる振動（音）が直接、遊技球整流装置７２に伝わらない構造となっている。
【００６２】
図３、図４、並びに図５に示される如く、スピーカ本体１００には、前記支持部材１０２に固定するための矩形状のフランジ部１０８が設けられている。
【００６３】
このフランジ部１０８の四隅には、当該四隅の角部が開口部１１０Ａとなる鍵穴状の切欠部１１０が形成されている。切欠部１１０は、開口部１１０Ａが奥行方向に一定幅とされ、底部１１０Ｂが開口部１１０Ａの幅よりも拡大された直径の円形とされている。
【００６４】
この切欠部１１０には、第１の緩衝部材としての第１のインシュレータ１１２が着脱可能に取り付けられている。第１のインシュレータ１１２は、弾性部材で形成されている。
【００６５】
第１のインシュレータ１１２は、中央に貫通孔１１４が設けられた円筒形であり、貫通孔１１４の開口両端部は鍔部１１２Ａが形成されている。第１のインシュレータ１１２における開口両端部の鍔部１１２Ａで挟まれた部分（以下、鍔部１１２Ａに対して、「溝部１１２Ｂ」という）の外径は、前記切欠部１１０の底部１１０Ｂの直径とほぼ一致しており、鍔部１１２Ａが当該直径よりも大きく形成されている。
【００６６】
第１のインシュレータ１１２は、変形することで、前記切欠部１１０の開口部１１０Ａから押し込まれて、底部１１０Ｂに嵌り込ませることができる（装着状態）。
【００６７】
スピーカ本体１００は、前記フランジ部１０８の四隅に形成された切欠部１１０に、前記第１のインシュレータ１１２が装着された状態で、前記支持部材１０２の裏面側に螺子１１６によって螺合され、固定されるようになっている。
【００６８】
螺子１１６には、前記第１のインシュレータ１１２の鍔部１１２Ａとほぼ同一外径の座金１１６Ａが取り付けられており、当該螺子１１６を第１のインシュレータ１１２の貫通孔１１４を貫通させ、支持部材１０２の雌ねじ部（図示省略）に螺合させることで、座金１１６Ａが第１のインシュレータ１１２の鍔部１１２Ａの全面を押圧しながら、ねじ込まれることになる。すなわち、螺子１１６は、スピーカ本体１００に直接触れることがなく、支持部材１０２に螺合されることになる。
【００６９】
上記のように、スピーカ本体１００と支持部材１０２とを固定することで、スピーカ本体１００が、直接、支持部材１０２に接触することはなく、第１のインシュレータ１１２が介在された状態で、両者の組み付けが可能となる。
【００７０】
ここで、スピーカ本体１００と支持部材１０２とを第１のインシュレータ１１２を介在させて組み付けることで、その他の対峙部（例えば、振動板１０４の周縁等）に隙間があく場合がある。このため、当該対峙部（ここでは、振動板１０４の周縁部とする）に対して、シール部材１１８（振動板１０４の周縁部の場合は、円形のシール部材１１８）を設け、音漏れや、所謂びびり音を抑制している。
【００７１】
一方、支持部材１０２の四隅には、四隅の角部近傍の周縁が開口部１２０Ａとなる鍵穴状の切欠部１２０が形成されている。切欠部１２０は、開口部１２０Ａが奥行方向に一定幅とされ、底部１２０Ｂが開口部１２０Ａの幅よりも拡大された直径の円形とされている。
【００７２】
この切欠部１２０には、第２の緩衝部材としての第２のインシュレータ１２２が着脱可能に取り付けられている。第２のインシュレータ１２２は、弾性部材で形成されている。
【００７３】
第２のインシュレータ１２２は、中央に貫通孔１２４が設けられた円筒形であり、貫通孔１２４の開口両端部は鍔部１２２Ａが形成されている。第２のインシュレータ１２２における開口両端部の鍔部１２２Ａで挟まれた部分（以下、鍔部１２２Ａに対して、「溝部１２２Ｂ」という）の外径は、前記切欠部１２０の底部１２０Ｂの直径とほぼ一致しており、鍔部１２２Ａが当該直径よりも大きく形成されている。
【００７４】
第２のインシュレータ１２２は、変形することで、前記切欠部１２０の開口部１２０Ａから押し込まれて、底部１２０Ｂに嵌り込ませることができる（装着状態）。
【００７５】
支持部材１０２は、前記四隅に形成された切欠部１２０に、前記第２のインシュレータ１２２が装着された状態で、前記本体枠１０Ａに螺子１２６によって螺合され、固定されるようになっている。
【００７６】
螺子１２６には、前記第２のインシュレータ１２２の鍔部１２２Ａとほぼ同一外径の座金１２６Ａが取り付けられており、当該螺子１２６を第２のインシュレータ１２２の貫通孔１２４を貫通させ、支持部材１０２の雌ねじ部（図示省略）に螺合させることで、座金１２６Ａが第２のインシュレータ１２２の鍔部１２２Ａの全面を押圧しながら、ねじ込まれることになる。すなわち、螺子１２６は、支持部材１０２に直接触れることがなく、本体枠１０Ａに螺合されることになる。
【００７７】
上記のように、支持部材１０２と本体枠１０とを固定することで、支持部材１０２が、直接、本体枠１０Ａに接触することはなく、第２のインシュレータ１２２が介在された状態で、両者の組み付けが可能となる。
【００７８】
ここで、支持部材１０２と本体枠１０Ａとを第２のインシュレータ１２２を介在させて組み付けることで、その他の対峙部（例えば、支持部材の周縁等）に隙間があく場合がある。このため、当該対峙部（ここでは、支持部材１０２の周縁部とする）に対して、シール部材１２８（支持部材１０２の周縁部の場合は、四辺のそれぞれに対応した帯状のシール部材１２８）を設け、音漏れや、所謂びびり音を抑制している。
【００７９】
また、スピーカ本体１００と本体枠１０Ａとの関係は、外観上は隣接しているにも関わらず、直接接触されていない。すなわち、スピーカ本体１００は、第１のインシュレータ１１２を介して支持部材１０２に取り付けられ、支持部材１０２は、第２のインシュレータ１２２を介して本体枠１０Ａに取り付けられる。
【００８０】
この結果、スピーカ本体１００の振動板１０４が振動したときの振動伝達系が、スピーカ本体１００→第１のインシュレータ１１２→支持部材１０２→第２のインシュレータ１２２→本体枠１０Ａの順となり、本体１０Ａに到達するときの振動は、そのほとんどが減衰されることになる。
【００８１】
以下に、本実施の形態の作用を説明する。
【００８２】
スピーカ６０Ｂは、パチンコ機１０の遊技の進行に応じて実行される演出の一環として、音楽、効果音、音声が出力されるスピーカ６０の一部として機能する。また、エラー発生時の聴覚を通じた報知にも利用される場合がある。
【００８３】
ここで、スピーカ６０の内、スピーカ６０Ｌ、６０Ｒは、一体扉ユニット１０Ｂに取り付けられており、当該スピーカ６０Ｌ、６０Ｒの振動板の振動は、スピーカ６０Ｂ（低音）に比べて小さい。
【００８４】
これに対して、前記スピーカ６０の内、スピーカ６０Ｂは、所謂低音を出力する。このスピーカ６０Ｂの振動板の振動は、スピーカ６０Ｌ、６０Ｒ（中高音）に比べて大きい。
【００８５】
そこで、本実施の形態では、スピーカ６０Ｂから発する音（低音）の出力に起因する振動板の振動を抑制するため、第１のインシュレータ１１２、第２のインシュレータ１２２によって振動を緩衝する状態で、スピーカ６０Ｂの本体枠１０Ａへ取り付けた。
【００８６】
（スピーカ６０Ｂの取付手順）
まず、スピーカ本体１００を支持部材１０２に固定する手順を説明する。
【００８７】
スピーカ本体１００のフランジ部１０８の四隅に設けた切欠部１１０に第１のインシュレータ１１２を装着する。
【００８８】
装着手順としては、切欠部１１０の開口部１１０Ａに第１のインシュレータ１１２の溝部１１２Ｂをあてがい、押し込む。
【００８９】
この押し込み動作に応じて、第１のインシュレータ１１２は弾性変形し、開口部１１０Ａに入り込み、その後、底部１１０Ｂに到達すると、弾性変形が解除されて装着が完了する。このため、第１のインシュレータ１１２は、自然状態では、開口部１１０Ａから抜け出ることはない。
【００９０】
また、このとき、第１のインシュレータ１１２の一対の鍔部１１２Ａが切欠部１１０の周縁を挟むように配置される。
【００９１】
第１のインシュレータ１１２の装着が完了したスピーカ本体１００は、そのフランジ部１０８を支持部材１０２の裏面側の所定位置に位置決めする。この所定位置は、第１のインシュレータ１１２の貫通孔１１４と、支持部材１０２に形成された図示しない雌ねじとが同軸となる位置である。
【００９２】
この位置決め状態で、螺子１１６を第１のインシュレータ１１２の貫通孔１１４に貫通させ、雌ねじへねじ込む。
【００９３】
このとき、螺子１１６には、座金１１６Ａが設けられているため、ねじ込み動作に伴い、第１のインシュレータ１１２の一端面全面を押圧していくため、第１のインシュレータ１１２がねじ込み動作によって軸線方向に圧縮変形されるのみであり、その他の変形（偏った潰れ等の変形）を防止することができる。
【００９４】
螺子１１６による締め付けが完了すると、スピーカ本体１００は支持部材１０２に対して非接触で固定される。
【００９５】
ここで、スピーカ本体１００を支持部材１０２に取り付けるとき、第１のインシュレータ１１２を介在させることで、スピーカ本体１００の振動板１０４の周縁と支持部材１０２との間に隙間が発生する場合がある。
【００９６】
そこで、本実施の形態では、振動板１０４の周縁に沿って円形のシール部材１１８を対応させた状態で、螺子１１６を締め付けることで、スピーカ本体１００の振動板１０４の周縁と支持部材１０２との間の隙間を埋めることができる。
【００９７】
これにより、音漏れを防止することができると共に、スピーカ本体１００と支持部材１０２との間の、所謂びびり音の発生を抑制することができる。
【００９８】
次に、スピーカ本体１００が取り付けられた状態の支持部材１０２を本体枠１０Ａに固定する手順を説明する。
【００９９】
支持部材１０２の四隅に設けた切欠部１０２に第２のインシュレータ１２２を装着する。
【０１００】
装着手順としては、切欠部１２０の開口部１２０Ａに第２のインシュレータ１２２の溝部１２２Ｂをあてがい、押し込む。
【０１０１】
この押し込み動作に応じて、第２のインシュレータ１２２は弾性変形し、開口部１２０Ａに入り込み、その後、底部１２０Ｂに到達すると、弾性変形が解除されて装着が完了する。このため、第２のインシュレータ１２２は、自然状態では、開口部１２０Ａから抜け出ることはない。
【０１０２】
また、このとき、第２のインシュレータ１２２の一対の鍔部１２２Ａが切欠部１２０の周縁を挟むように配置される。
【０１０３】
第２のインシュレータ１２２の装着が完了した支持部材１０２は、本体枠１０Ａの所定位置に位置決めする。この所定位置は、第２のインシュレータ１２２の貫通孔１２４と、本体枠１０Ａに形成された図示しない雌ねじとが同軸となる位置である。
【０１０４】
この位置決め状態で、螺子１２６を第２のインシュレータ１２２の貫通孔１２４に貫通させ、雌ねじへねじ込む。
【０１０５】
このとき、螺子１２６には、座金１２６Ａが設けられているため、ねじ込み動作に伴い、第２のインシュレータ１２２の一端面全面を押圧していくため、第２のインシュレータ１２２がねじ込み動作によって軸線方向に圧縮変形されるのみであり、その他の変形（偏った潰れ等の変形）を防止することができる。
【０１０６】
螺子１２６による締め付けが完了すると、支持部材１０２は本体枠１０Ａに対して非接触で固定される。
【０１０７】
ここで、支持部材１０２を本体枠１０Ａに取り付けるとき、第２のインシュレータ１２２を介在させることで、支持部材１０２の周縁と本体枠１０Ａとの間に隙間が発生する場合がある。
【０１０８】
そこで、本実施の形態では、支持部材１０２の四辺のそれぞれに帯状のシール部材１２８を対応させた状態で、螺子１２６を締め付けることで、支持部材１０２の周縁と本体枠１０Ａとの間の隙間を埋めることができる。
【０１０９】
これにより、音漏れを防止することができると共に、支持部材１０２と本体枠１０Ａとの間の、所謂びびり音の発生を抑制することができる。
【０１１０】
上記組み付け手順により組み付けられたスピーカ６０Ｂは、遊技の進行に応じた音楽、効果音、音声の内、低音を出力する。
【０１１１】
低音は振動板１０４を大きく振動するため、この振動が直接本体枠１０Ａに伝わると、スピーカ６０Ｂの近傍に配置された遊技球発射装置７０や遊技球整流装置７２に振動が伝わり易くなる。
【０１１２】
この振動は、例えば、遊技球整流装置７２により遊技球を１個１個を所定のインタバルで遊技球発射装置７０へ送り出すときの流動に影響を及ぼす場合がある。
【０１１３】
また、この振動は、例えば、遊技球発射装置７０の発射位置に位置決めされた遊技球が振動することで、発射に影響を及ぼす可能性がある。
【０１１４】
しかし、本実施の形態では、振動伝達系が、スピーカ本体１００→第１のインシュレータ１１２→支持部材１０２→第２のインシュレータ１２２→本体枠１０Ａの順となる。
【０１１５】
このため、スピーカ本体１００の振動板１０４から発せられる振動が、本体１０Ａに到達するときまでに、そのほとんどが第１のインシュレータ１１２及び第２のインシュレータ１２２で減衰される。
【０１１６】
すなわち、スピーカ６０Ｂは本体枠１０Ａに隣接しながらも、直接振動が伝わる取り付け状態にはなっていないため、周囲の部材（例えば、遊技球整流装置７２、遊技球発射装置７０等）に対して、振動による影響を及ぼすことがない。
【０１１７】
また、本実施の形態では、取付スペースの関係で、一体扉ユニット１０Ｂが閉止されたとき、遊技球整流装置７２が、スピーカ６０Ｂの前面（支持部材１０２の表面の一部）に対峙する位置関係となっている。
【０１１８】
この場合、本実施の形態では、支持部材１０２における遊技球整流装置７２と対峙する部分は、音を通過させるスリットをなくしているため、前記振動板１０４の振動の抑制に加え、空間を伝わる振動（音）が直接、遊技球整流装置７２に伝わることがない。
【０１１９】
以上説明したように、本実施の形態では、スピーカ本体１００はフランジ部１０８に設けた第１のインシュレータ１１２を介して、支持部材１０２に非接触で固定されると共に、支持部材１０２は、第２のインシュレータ１２２を介して、本体枠１０Ａに非接触で固定されることで、スピーカ本体１００の振動板１０４の振動の伝達系が、スピーカ本体１００→第１のインシュレータ１１２→支持部材１０２→第２のインシュレータ１２２→本体枠１０Ａの順となり、その間において、特に、第１のインシュレータ１１２及び第２のインシュレータ１２２によって振動が減衰され、本体枠１０Ａへの振動電圧を抑制することができる。
【符号の説明】
【０１２０】
１０    パチンコ機
１０Ａ    本体枠
１０Ｂ    一体扉ユニット
１０Ｃ    ヒンジ
１１Ａ    外枠
１１Ｂ    内枠
１２    下飾り
１４    ガラス板
１６    ガラス枠
１８    遊技盤
２４    受け皿ユニット
２６    グリップユニット（発射ハンドル）
２７    鍵穴
２８    上皿部
２９    下皿部
３６Ａ    球抜きボタン
３６Ｂ    球抜きレバー
４２    球貸ボタン
４４    返却ボタン
５０    操作部
５１、５２    電飾装置
６０Ｌ、６０Ｒ    スピーカ
６０Ｂ    スピーカ
７０    遊技球発射装置
７２    遊技球整流装置
１００    スピーカ本体
１０２    支持部材
１０４    振動板
１０６    スリット
１０８    フランジ部
１１０    切欠部
１１０Ａ    開口部
１１０Ｂ    底部
１１２    第１のインシュレータ（第１の緩衝部材）
１１２Ａ    鍔部
１１２Ｂ    溝部
１１４    貫通孔
１１６    螺子
１１６Ａ    座金
１１８    シール部材
１２０    切欠部
１２０Ａ    開口部
１２０Ｂ    底部
１２２    第２のインシュレータ（第２の緩衝部材）
１２２Ａ    鍔部
１２２Ｂ    溝部
１２４    貫通孔
１２６    螺子
１２６Ａ    座金
１２８    シール部材
【図１】
2015080507.tif 000003
【図２】
2015080507.tif 000004
【図３】
2015080507.tif 000005
【図４】
2015080507.tif 000006
【図５】
2015080507.tif 000007